(57)【要約】【課題】回転不可能ファクシミリ装置における受信結果が異常なものとなることが無いファクシミリ装置を、提供する。【解決手段】ＦＡＸ送信すべきものとして生成されたイメージデータの向き（縦長イメージデータ／横長イメージデータの別）に依らず、送信先ファクシミリ装置が回転不可能ファクシミリ装置であった場合（ステップＳ１０３；ＮＯ）には、縦長イメージデータから生成されたファクシミリデータが送信される（ステップＳ１０５〜Ｓ１０７）ように、ファクシミリ装置を構成しておく。【選択図】  図７
2004312103.tif 000002
【特許請求の範囲】
【請求項１】
供給された幾つかのイメージデータに基づき、各イメージデータの横方向をラインデータ方向としたファクシミリデータを生成して送信する機能を有するファクシミリデータ送信手段と、
ファクシミリ送信を行う原稿の各ページに関するイメージデータを生成するイメージデータ生成手段と、
このイメージデータ生成手段により生成された各イメージデータが、横方向の画素数が縦方向の画素数よりも大きい横長イメージデータであるか、縦方向の画素数が横方向の画素数よりも大きい縦長イメージデータであるかを判別し、縦長イメージデータである判別した各イメージデータを前記ファクシミリデータ送信手段に供給し、横長イメージデータである判別した各イメージデータを９０度回転させた上で前記ファクシミリデータ送信手段に供給するイメージデータ供給手段
とを、備えることを特徴とするファクシミリ装置。
【請求項２】
前記ファクシミリデータ送信手段によるファクシミリデータの送信先のファクシミリ装置が、横長イメージデータから生成されたファクシミリデータと縦長イメージデータから生成されたファクシミリデータとを判別可能な回転可能ファクシミリ装置であるか否かを判断するための判断手段を、さらに、備え、
前記イメージデータ供給手段が、前記判断手段により、前記ファクシミリデータ送信手段によるファクシミリデータの送信先のファクシミリ装置が回転可能ファクシミリ装置であると判断されたときには、前記イメージデータ生成手段により生成された各イメージデータをそのまま前記ファクシミリデータ送信手段に供給する手段である
ことを特徴とする請求項１記載のファクシミリ装置。
【請求項３】
前記ファクシミリデータ送信手段によるファクシミリデータの送信先のファクシミリ装置が、横長イメージデータから生成されたファクシミリデータと縦長イメージデータから生成されたファクシミリデータとを判別可能な回転可能ファクシミリ装置であるか否かを判断するための判断手段を、さらに、備え、
前記イメージデータ供給手段が、前記判断手段により、前記ファクシミリデータ送信手段によるファクシミリデータの送信先のファクシミリ装置が回転可能ファクシミリ装置であると判断されたときには、前記イメージデータ生成手段により生成された各イメージデータが、横長イメージデータであるか縦長イメージデータであるかを判別し、横長イメージデータである判別した各イメージデータを前記ファクシミリデータ送信手段に供給し、縦長イメージデータである判別した各イメージデータを９０度回転させた上で前記ファクシミリデータ送信手段に供給する手段である
ことを特徴とする請求項１記載のファクシミリ装置。
【請求項４】
前記判断手段が、前記ファクシミリデータ送信手段によるファクシミリデータの送信先のファクシミリ装置から送信されてくる情報に基づき、当該ファクシミリ装置が回転可能ファクシミリ装置であるか否かを判断する手段である
ことを特徴とする請求項２又は請求項３に記載のファクシミリ装置。
【請求項５】
前記ファクシミリデータ送信手段によるファクシミリデータの送信先とされることがある各ファクシミリ装置について、そのファクシミリ装置のファクシミリ番号と、そのファクシミリ装置が回転可能ファクシミリ装置であるか否かを示すタイプ情報とを記憶しておくための記憶手段を、さらに、備え、
前記判断手段が、前記ファクシミリデータ送信手段によるファクシミリデータの送信先のファクシミリ装置に関して前記記憶手段に記憶されている前記タイプ情報に基づき、当該ファクシミリ装置が回転可能ファクシミリ装置であるか否かを判断する手段である
ことを特徴とする請求項３記載のファクシミリ装置。
【請求項６】
前記記憶手段に各ファクシミリ装置について記憶されているファクシミリ番号及びタイプ情報相当の情報を、ユーザに対して提示することにより、ユーザに、前記記憶手段にファクシミリ番号が記憶されているファクシミリ装置の中から、ファクシミリデータの送信先とするファクシミリ装置を選択させる送信先指定受付手段を、さらに備える
ことを特徴とする請求項５記載のファクシミリ装置。
【発明の詳細な説明】
【０００１】
【発明の属する技術分野】
本発明は、ファクシミリ装置に関する。
【０００２】
【従来の技術】
周知のように、既存のファクシミリ装置の中には、Ａ４サイズの原稿をその長辺がスキャナの主走査方向と一致するようにセットした形でＦＡＸ送信を行える装置（Ａ３サイズまでのＦＡＸ送信が行える装置）が、存在している。
【０００３】
【発明が解決しようとする課題】
Ａ３サイズまでのＦＡＸ送信が行えるファクシミリ装置は、上記のような形で送信されたＦＡＸデータ（以下、横長送信ＦＡＸデータと表記する）を受信した際にも問題なく動作する装置となっているが、既存のファクシミリ装置の中には、図８に模式的に示したように、横長送信ＦＡＸデータを受信した際に、送信原稿上の画像が、向き及びサイズが異なる形で印刷された印刷物を排出してしまう装置（受信データ中のイメージデータの向きを判定せずに印刷を行うファクシミリ装置；以下、回転不可能ファクシミリ装置と表記する）も、存在している。
【０００４】
そこで、本発明の課題は、回転不可能ファクシミリ装置における受信結果が異常なものとなることが無いファクシミリ装置を、提供することにある。
【０００５】
【課題を解決するための手段】
上記課題を解決するために、本発明のファクシミリ装置は、供給された幾つかのイメージデータに基づき、各イメージデータの横方向をラインデータ方向としたファクシミリデータを生成して送信する機能を有するファクシミリデータ送信手段と、ファクシミリ送信を行う原稿の各ページに関するイメージデータを生成するイメージデータ生成手段と、このイメージデータ生成手段により生成された各イメージデータが、横方向の画素数が縦方向の画素数よりも大きい横長イメージデータであるか、縦方向の画素数が横方向の画素数よりも大きい縦長イメージデータであるかを判別し、縦長イメージデータである判別した各イメージデータをファクシミリデータ送信手段に供給し、横長イメージデータである判別した各イメージデータを９０度回転させた上でファクシミリデータ送信手段に供給するイメージデータ供給手段とを、備える。
【０００６】
すなわち、本発明のファクシミリ装置は、イメージデータ生成手段によって生成されたイメージデータの向き（縦長イメージデータ／横長イメージデータの別）に依らず、送信先ファクシミリ装置に対して、縦長イメージデータから生成されたファクシミリデータが送信される構成を有する。そして、縦長イメージデータから生成されたファクシミリデータは、それを受信したファクシミリ装置が、回転不可能ファクシミリ装置、回転可能ファクシミリ装置のいずれであっても、正常な受信結果（縮小・回転してない印刷物）が排出されるデータであるので、本発明のファクシミリ装置は、回転不可能ファクシミリ装置における受信結果が異常なものとなることが無い装置として機能することになる。
【０００７】
本発明のファクシミリ装置を実現するに際しては、ファクシミリデータ送信手段によるファクシミリデータの送信先のファクシミリ装置が、横長イメージデータから生成されたファクシミリデータと縦長イメージデータから生成されたファクシミリデータとを判別可能な回転可能ファクシミリ装置であるか否かを判断するための判断手段を、付加しておくと共に、イメージデータ供給手段として、判断手段により、ファクシミリデータ送信手段によるファクシミリデータの送信先のファクシミリ装置が回転可能ファクシミリ装置であると判断されたときには、イメージデータ生成手段により生成された各イメージデータをそのままファクシミリデータ送信手段に供給する手段を採用しておくことが出来る。
【０００８】
このような形で実現されたファクシミリ装置では、回転可能ファクシミリ装置へのファクシミリデータ送信時に、イメージデータ生成手段によって生成されたイメージデータが横長イメージデータであっても、イメージデータを回転する処理が行われないことになる。すなわち、このファクシミリ装置は、判断手段を備えないタイプの本発明のファクシミリ装置よりも、ファクシミリデータ送信処理に関する全体的／平均的な負荷が少ない装置として機能することになる。従って、このファクシミリ装置の構成は、デジタル複合機に採用するのに適した構成となっていると言うことが、出来る。
【０００９】
また、本発明のファクシミリ装置を実現するに際しては、ファクシミリデータ送信手段によるファクシミリデータの送信先のファクシミリ装置が、横長イメージデータから生成されたファクシミリデータと縦長イメージデータから生成されたファクシミリデータとを判別可能な回転可能ファクシミリ装置であるか否かを判断するための判断手段を、付加しておくと共に、イメージデータ供給手段として、判断手段により、ファクシミリデータ送信手段によるファクシミリデータの送信先のファクシミリ装置が回転可能ファクシミリ装置であると判断されたときには、イメージデータ生成手段により生成された各イメージデータが、横長イメージデータであるか縦長イメージデータであるかを判別し、横長イメージデータである判別した各イメージデータをファクシミリデータ送信手段に供給し、縦長イメージデータである判別した各イメージデータを９０度回転させた上でファクシミリデータ送信手段に供給する手段を採用しておくことも出来る。
【００１０】
このような形で実現されたファクシミリ装置では、回転可能ファクシミリ装置に対しては、イメージデータ生成手段によって生成されたイメージデータの向き（縦長イメージデータ／横長イメージデータの別）に依らず、横長イメージデータから生成されたファクシミリデータが送信されることになる。そして、一般的な回転可能ファクシミリ装置は、縦長イメージデータから生成されたファクシミリデータを受信した場合、横長イメージデータから生成されたファクシミリデータを受信した場合よりも内部で行われる処理量が多い装置（縦長イメージデータから生成されたファクシミリデータを受信した場合、イメージデータを回転してから印刷する装置）となっているので、このファクシミリ装置は、送信先ファクシミリ装置のファクシミリデータ受信処理に関する負荷を低減できる装置として機能することになる。
【００１１】
また、判断手段を備えたタイプのファクシミリ装置を実現する際には、判断手段として、ファクシミリデータ送信手段によるファクシミリデータの送信先のファクシミリ装置から送信されてくる情報に基づき、当該ファクシミリ装置が回転可能ファクシミリ装置であるか否かを判断する手段と採用しておいても良く、ファクシミリデータ送信手段によるファクシミリデータの送信先とされることがある各ファクシミリ装置について、そのファクシミリ装置のファクシミリ番号と、そのファクシミリ装置が回転可能ファクシミリ装置であるか否かを示すタイプ情報とを記憶しておくための記憶手段を、付加しておくとともに、判断手段として、ファクシミリデータ送信手段によるファクシミリデータの送信先のファクシミリ装置に関して記憶手段に記憶されているタイプ情報に基づき、当該ファクシミリ装置が回転可能ファクシミリ装置であるか否かを判断する手段を採用しておいても良い。
【００１２】
なお、上記のような記憶手段を設けた形で本発明のファクシミリ装置を実現する際には、イメージデータ生成手段にどちらの向きのイメージデータを生成させた方が良いのかを、ユーザが把握できるようにするために、記憶手段に各ファクシミリ装置について記憶されているファクシミリ番号及びタイプ情報相当の情報を、ユーザに対して提示することにより、ユーザに、記憶手段にファクシミリ番号が記憶されているファクシミリ装置の中から、ファクシミリデータの送信先とするファクシミリ装置を選択させる送信先指定受付手段を、付加しておくことが望ましい。
【００１３】
【発明の実施の形態】
以下、本発明の実施の形態を図面を参照して詳細に説明する。
【００１４】
本発明の一実施形態に係るファクシミリ装置は、コピー機，デジタル文書作成装置（セットされた原稿からデジタル文書［当該原稿のイメージデータファイル］を作成して他のコンピュータへＴＣＰ／ＩＰ送信する機能を有する装置），及び，ネットワークプリンタとしても動作可能な装置（いわゆるデジタル複合機）なのであるが、以下では、ファクシミリとして機能に関する部分を中心に、本ファクシミリ装置の構成及び動作の説明を行うことにする。
【００１５】
まず、図１〜図３を用いて、本実施形態に係るファクシミリ装置１０のハードウェア構成を、説明する。
【００１６】
図１に示してあるように、本実施形態に係るファクシミリ装置１０は、制御ユニット１１とスキャナ１２とプリンタ１３とが組み合わされた装置である。また、ファクシミリ装置１０は、図２に示してあるように、一般的なデジタル複合機／コピー機と同様の外観を有する装置となっている。
【００１７】
本ファクシミリ装置１０に用いられているプリンタ１３は、コンピュータの周辺機器として使用可能なプリンタに、ファクシミリ装置１０を構成するための（制御ユニット１１とプリンタ１３とを接続するための）拡張ボードが装着された機器である。スキャナ１２は、コンピュータの周辺機器として使用可能なスキャナに、ファクシミリ装置１０を構成するための（制御ユニット１１とスキャナ１２とを接続するための）拡張ボードが装着された機器である。このスキャナ１２は、Ａ３までの原稿の読み取りが可能な機器となっている。
【００１８】
制御ユニット１１は、ファクシミリ装置１０（スキャナ１２とプリンタ１３と自ユニット）を、ファクシミリ番号（ファクシミリ装置の電話番号；以下、ＦＡＸ番号と表記する）を短縮番号に対応づけて登録しておくことや、１つ以上のＦＡＸ番号をグループ番号に対応づけて登録しておくことが可能な機器として機能させるユニットである。なお、制御ユニット１１は、ファクシミリ装置１０を、ユーザにとっての短縮番号（ユーザがテンキー入力しなければならない情報，タッチスクリーン３１上に短縮番号として表示される情報）が“００１”〜“２００”であり、ユーザにとってのグループ番号が“０１”〜“３０”（グループ番号のテンキー入力時に入力しなければならない情報は、“＊０１”〜“＊３０”）である機器として動作させるユニットとなっている。
【００１９】
この制御ユニット１１は、図１に示してあるように、ＣＰＵ２１，ＲＯＭ２２，ＲＡＭ２３，ＨＤＤ２４，通信制御回路２５，画像処理回路２６，ＬＣＤ制御回路２７，入力インタフェース回路（入力Ｉ／Ｆ）２８，ネットワークインタフェース回路（ＮＷ−Ｉ／Ｆ）２９，モデム３０，タッチスクリーン３１，スイッチ部３２等で構成されている。
【００２０】
制御ユニット１１を構成しているタッチスクリーン３１は、液晶ディスプレイ（ＬＣＤ）３５上に透明な接触位置センサ３６を重ねた素子である。スイッチ部３２は、図３に示してあるように、制御ユニット１１の筐体上に設けられたスタートキー３２ｓ、ストップキー、テンキー（“０”〜“９”キー、“＊”キー、及び“Ｃ／＃”キー）等と、それらの制御回路（図示せず）とからなるユニットである。
【００２１】
ＣＰＵ２１は、ファクシミリ装置１０の各部（制御ユニット１１内の各部、スキャナ１２及びプリンタ１３）を統合的に制御する制御回路である。ＲＯＭ２２は、ＣＰＵ２１の動作手順を規定するプログラムやＣＰＵ２１（プログラム）が利用するデータが記録されている読み出し専用のメモリである。ＲＡＭ２３は、ＣＰＵ２１（プログラム）の作業領域として用いられるメモリである。通信制御回路２５は、ＣＰＵ２１が、スキャナ１２或いはプリンタ１３との間で情報交換（コマンドの送信、画像データの受信、印刷データの送信）を行うために使用する回路である。画像処理回路２６は、スキャナ１２によって生成された画像データ（本実施形態では、多値画像データ）に対して各種の画像処理を施すための回路である。
【００２２】
ＬＣＤ制御回路２７は、タッチスクリーン３１（ＬＣＤ３５）に、ＣＰＵ２１から指示された内容の画像（画面）を表示させる回路である。入力インタフェース回路２８は、ユーザ（ファクシミリ装置１０の操作者）がテンキー部３２或いはタッチスクリーン３１（接触位置センサ３６）に対して行った操作内容を、ＣＰＵ２１に通知する回路である。ネットワークインタフェース回路２９は、制御ユニット１１をＬＡＮに接続するための回路であり、モデム３０は、制御ユニット１１を電話回線網に接続するための回路である。
【００２３】
ＨＤＤ２４は、一時ファイル（プリンタ１３に供給するデータ，ＦＡＸ送信するデータ，受信したファクシミリデータ（印刷してないもの），他コンピュータに送信するデジタル文書データ等のファイル）や、電源が落とされても保持しておくことが必要な各種の情報を記憶しておくために、制御ユニット１１に搭載されている補助記憶装置（ハードディスク装置）である。このＨＤＤ２４上には、短縮番号に対応づける形でユーザにより登録されたＦＡＸ番号を記憶しておくための短縮別宛先管理テーブルと、グループ番号に対応づける形でユーザにより登録された幾つかのＦＡＸ番号からなる情報を記憶しておくためのグループ別宛先管理テーブルとが、用意されている。
【００２４】
次に、図４〜図７を用いて、本ファクシミリ装置１０の構成及び動作（制御ユニット１１の構成及び動作）を、さらに具体的に説明する。
【００２５】
制御ユニット１１内（制御ユニット１１のＨＤＤ２６上）に用意されている短縮別宛先管理テーブルは、図４に模式的に示したように、短縮番号（“００１”〜“２００”）相当の情報であるレコード番号のそれぞれについて、ＦＡＸ番号（登録されていない場合には、“未登録”）と、“ＯＮ”／“ＯＦＦ”のいずれかの値を取る回転可能機フラグとを、記憶可能なテーブルとなっている。また、図示は省略するが、グループ別宛先管理テーブルは、グループ番号（“０１”〜“３０”）相当の情報であるレコード番号のそれぞれについて、ＦＡＸ番号と回転可能機フラグとからなる情報を何組か記憶可能なテーブルとなっている。
【００２６】
短縮別宛先管理テーブル／グループ別宛先管理テーブル内に記憶される回転可能機フラグは、対応するＦＡＸ番号を有するファクシミリ装置が、本ファクシミリ装置１０のように、横長送信ＦＡＸデータ（原稿をその長辺がスキャナの主走査方向と一致するようにセットした形で送信されたＦＡＸデータ／横長イメージデータから生成されたＦＡＸデータ）を受信しても問題が生じない装置（横長送信ＦＡＸデータ受信時に、向き・サイズが正しく（原稿通りに）印刷される装置；以下、回転可能機と表記する）であるか否かを“ＯＮ”／“ＯＦＦ”で示すフラグである。
【００２７】
そして、本制御ユニット１１（ファクシミリ装置１０）は、短縮登録されているＦＡＸ番号の中から、ユーザに、ＦＡＸ送信先のファクシミリ装置（以下、送信先ＦＡＸと表記する）のＦＡＸ番号を選択させるための宛先選択画面として、図５に示した画面、すなわち、回転可能機フラグが“ＯＮ”となっている各ＦＡＸ番号について“Ｒ”が示される画面、を表示する装置となっている。なお、制御ユニット１１（ファクシミリ装置１０）は、短縮番号入力が行われた場合にも、入力された短縮番号に対応付けられている回転可能機フラグが“ＯＮ”となっている場合には、入力された短縮番号に応じたＦＡＸ番号と“Ｒ”とが示された画面を表示する装置となっている。
【００２８】
また、制御ユニット１１（ファクシミリ装置１０）は、ＦＡＸ番号を短縮番号に対応づけて登録するための画面であると共に、登録しておいたＦＡＸ番号を修正するための画面である短縮登録画面として、図６に示したような画面、すなわち、登録／修正しているＦＡＸ番号に関する回転可能機フラグを“ＯＮ”とする場合に、ユーザが押下すべき“回転可能機”ボタン５１を備えた画面を表示する装置となっている。
【００２９】
さらに、本制御ユニット１１は、ユーザによりＦＡＸ送信が指示された場合（送信先ファクシミリ装置のＦＡＸ番号が入力／選択された後に、スイッチ部３２の要素であるスタートボタン（図３参照）が押下された場合）には、スキャナ１２にセットされているＦＡＸ送信原稿の各ページのイメージデータ（２値化したもの）をＨＤＤ上に用意する処理を行った後に、必要回数（同報送信が指定されている場合には，複数回、それ以外の場合には，１回）、図７に示した手順のＦＡＸ送信処理を行うユニットとなっている。
【００３０】
すなわち、ＦＡＸ送信処理を開始した制御ユニット１１は、まず、送信先ＦＡＸ（ＦＡＸ送信先のファクシミリ装置）との間の呼を設定するための呼設定処理（ステップＳ１０１）を行う。次いで、制御ユニット１１は、送信先ＦＡＸから送られてくる自装置の機能を表す情報に基づき、送信先ＦＡＸが回転可能機であるか否かを判断する（ステップＳ１０２）。ここで、送信先ＦＡＸから送られてくる自装置の機能を表す情報とは、制御ユニット１１（ファクシミリ装置１０）が他のファクシミリ装置からアクセスされたときに、送信するＮＳＦパケット内の設定する情報のことである。
【００３１】
すなわち、ステップＳ１０２にて、制御ユニット１１（ファクシミリ装置１０）は、送信先ＦＡＸが自装置と同じ機種の装置であるか否かを判断する。そして、送信先ＦＡＸが、自装置と同じ機種の回転可能機であった場合（ステップＳ１０２；ＹＥＳ）には、回転可能機フラグ設定処理（ステップＳ１０３）を行う。
【００３２】
この回転可能機フラグ設定処理は、短縮別宛先管理テーブル及びグループ別宛先管理テーブルの中から、送信先ＦＡＸに関する回転可能機フラグを検索し、検索された各回転可能機フラグ（既に“ＯＮ”であることもある）を“ＯＮ”とする処理である。なお、この回転可能機フラグ設定処理が行われるように制御ユニット１１を構成しているのは、ユーザが、ＦＡＸ番号を登録したが回転可能機であることを指定しなかったファクシミリ装置に関しても、そのファクシミリ装置が本ファクシミリ装置１０と同機種のものであった場合には、回転可能機フラグが“ＯＮ”となるようにするためであると共に、ユーザが、ＦＡＸ番号を登録し、回転可能機であることを指定しなかったファクシミリ装置が、ファクシミリ装置１０と同機種のものに変更された場合に、対応するためである。
【００３３】
その後、制御ユニット１１は、用意されている各イメージデータを回転させることなく、ＦＡＸデータを生成・送信する処理（ステップＳ１０６）を行ってから、ＦＡＸ送信処理を終了する。
【００３４】
一方、送信先ＦＡＸからの情報では、その送信先ＦＡＸが回転可能機であるか否かが分からなかった場合（ステップＳ１０２；ＹＥＳ）、制御ユニット１１は、送信先ＦＡＸに関する回転可能機フラグが“ＯＮ”であるか否かを判断する（ステップＳ１０４）。より正確には、制御ユニット１１は、このステップＳ１０４にて、送信先ＦＡＸのＦＡＸ番号が短縮別宛先管理テーブル／グループ別宛先管理テーブル内に存在しており、かつ、そのＦＡＸ番号に関する回転可能機フラグが“ＯＮ”となっているという条件が満たされているか否かを判断する。
【００３５】
そして、制御ユニット１１は、送信先ＦＡＸに関する回転可能機フラグが“ＯＮ”であった場合（ステップＳ１０４；ＹＥＳ）には、送信先ＦＡＸが回転可能機であることが確認された場合と同様に、既に用意されている各イメージデータを回転させることなく、ＦＡＸデータを生成・送信する処理（ステップＳ１０６）を行ってから、ＦＡＸ送信処理を終了する。
【００３６】
また、送信先ＦＡＸに関する回転可能機フラグが“ＯＮ”ではなかった場合（ステップＳ１０４；ＮＯ）、制御ユニット１１は、用意されているイメージデータが横長イメージデータ（原稿の長辺がスキャナ１２の主走査方向と一致するようにセットされた状態で生成されたイメージデータ）であるか否かを判断（ステップＳ１０５）し、横長イメージデータであった場合（ステップＳ１０５；ＹＥＳ）には、用意されている各イメージデータを９０度回転させた形でＦＡＸデータを生成・送信する処理（ステップＳ１０７）を行ってからＦＡＸ送信処理を終了する。一方、用意されているイメージデータが縦長イメージデータであった場合（ステップＳ１０５；ＮＯ）、制御ユニット１１は、各イメージデータを回転させずにＦＡＸデータを生成・送信する処理（ステップＳ１０６）を行ってからＦＡＸ送信処理を終了する。
【００３７】
以上、詳細に説明したように、本ファクシミリ装置１０は、ファクシミリ送信先のファクシミリ装置が、自装置と同機種の装置ではなく、かつ、ユーザにより回転可能機であることが指定されている装置でもなかった場合には、原稿のスキャナへのセット方向に依らず、縦長ＦＡＸデータ（原稿の短辺がスキャナの主走査方向と一致するようにセットした形でＦＡＸ送信を行ったときに送信されるＦＡＸデータ）を生成・送信する装置となっている。従って、本ファクシミリ装置１０は、回転不可能ファクシミリ装置における受信結果が異常なものとなることが無い装置として機能することになる。
【００３８】
また、本ファクシミリ装置１０は、ファクシミリ送信先のファクシミリ装置が、自装置と同機種の装置であった場合と、ユーザにより回転可能機であることが指定されている装置であった場合とには、スキャナにセットされた原稿の向き通りのＦＡＸデータ（イメージデータを回転する処理を行うことなく生成可能なＦＡＸデータ）を生成・送信する装置となっている。従って、本ファクシミリ装置１０は、常に、縦長ＦＡＸデータを送信するように構成したファクシミリ装置に比して、ＦＡＸ送信処理の実行により、ＦＡＸ送信処理以外の処理が遅くなる確率が低い装置としても機能することになる。
【００３９】
また、本ファクシミリ装置１０は、送信先ＦＡＸが回転可能機であるか否かがユーザに対して提示される装置ともなっている。従って、本ファクシミリ装置１０は、ユーザが、ファクシミリ装置１０及び送信先ＦＡＸにとって都合の良い向きで、スキャナ１２に原稿をセットすることができる装置としても機能することになる。ここで、ファクシミリ装置１０／送信先ＦＡＸにとって都合の良い向きとは、送信先ＦＡＸが回転可能機でない場合には、縦長イメージデータが生成される向き（スキャナ１２の主走査方向と原稿の短辺方向が一致する向き）のことであり、送信先ＦＡＸが回転可能機である場合には、横長イメージデータが生成される向き（スキャナ１２の主走査方向と原稿の長辺方向が一致する向き）のことである。なお、送信先ＦＡＸが回転可能機でない場合に縦長イメージデータが生成される向きに原稿をセットしておいた方が良い理由は、ファクシミリ装置１０がイメージデータの回転処理を行うことなくＦＡＸ送信が可能となるからであり、送信先ＦＡＸが回転可能機である場合に横長イメージデータが生成される向きに原稿をセットしておいた方が良い理由は、回転可能機は一般に縦長ＦＡＸデータ受信時にそこに含まれるイメージデータを回転して印刷する装置となっているので、回転可能機に対しては、横長ＦＡＸデータを送信した方が良いからである。
【００４０】
＜変形形態＞
本実施形態に係るファクシミリ装置１０は、各種の変形を行うことが出来る。例えば、ファクシミリ装置１０は、３種の装置として機能する装置であったが、ファクシミリ装置１０を、ファクシミリとしてのみ機能する装置や、ファクシミリ及びコピー機として機能する装置に変形しても良い。また、ファクシミリ装置１０は、ＦＡＸ番号を登録することしかできない装置であったが、ＦＡＸ送信先の名称も登録できるようにファクシミリ装置１０を変形しておいても良い。
【００４１】
また、ファクシミリ装置１０は、３つの装置（制御ユニット１１，スキャナ１２及びプリンタ１３）が組み合わされた装置であったが、ファクシミリ装置１０と同等の機能を有する装置を、１つの装置で実現しても良く、４つ以上の装置（例えば、組み合わせることによりコピー機として機能する３つの装置と、それらの装置からなる装置に、ファクシミリとしての機能を付加できる装置）で実現しても良い。
【００４２】
また、ファクシミリ装置１０は、原稿上の画像を読み取ってＦＡＸ送信する装置であったが、このファクシミリ装置１０で用いられている技術に基づき、ワープロ等で作成された電子的文書のＦＡＸ送信を行えるファクシミリ装置を構成しても良い。さらに、送信先ＦＡＸが回転可能機であった場合には、スキャナ１２にセットされた原稿の向きに依らず、横長ＦＡＸデータを送信するように、ファクシミリ装置１０を変形しておいても良い。
【図面の簡単な説明】
【図１】本発明の一実施形態に係る情報送信装置の構成図。
【図２】実施形態に係る情報送信装置の外観図。
【図３】実施形態に係る情報送信装置に用いられている制御ユニットの外観図。
【図４】制御ユニットが保持している短縮管理テーブルの説明図。
【図５】制御ユニットが表示する宛先選択画面の説明図。
【図６】制御ユニットが表示する短縮登録画面の説明図。
【図７】制御ユニットが実行するＦＡＸ送信処理の流れ図。
【図８】従来のファクシミリ装置における問題を説明するための図。
【符号の説明】
１０  ファクシミリ装置、１１  制御ユニット、１２  スキャナ、
１３  プリンタ
【図１】
2004312103.tif 000003
【図２】
2004312103.tif 000004
【図３】
2004312103.tif 000005
【図４】
2004312103.tif 000006
【図５】
2004312103.tif 000007
【図６】
2004312103.tif 000008
【図７】
2004312103.tif 000009
【図８】
2004312103.tif 000010